(57)【要約】【課題】ごく自然に効率的かつ効果的な歯磨きが行われるペングリップ法により把持されるようになり、毛束の変形の発生を抑制しかつ安全性の向上を図る。【解決手段】グリップ部２と、このグリップ部２の一端部にネック部３を介して一体に連設され主面４Ａに毛束５を植設してブラシ面５Ａとして構成したヘッド部４からなり、グリップ部２が、ヘッド部４のブラシ面５Ａと直交する方向を長軸辺とした略矩形断面形状に形成されるとともに先端部側のブラシ面５Ａと平行な短軸辺が少なくともブラシ面５Ａと略同一面を構成するように形成され、ペングリップにより把持されて用いられる。【選択図】  図１
0003133654.tif 000002
【実用新案登録請求の範囲】
【請求項１】
グリップ部と、このグリップ部の一端部にネック部を介して一体に連設され主面に毛束を植設してブラシ面として構成したヘッド部とを備え、
上記グリップ部が、上記ヘッド部の上記ブラシ面と直交する方向を長軸辺とした略矩形断面形状に形成されるとともに上記ネック部と対向する他端部側の上記ブラシ面と平行な短軸辺が上記ブラシ面と略同一面若しくは突出面を構成するように形成され、ペングリップにより把持されて用いられることを特徴とする歯ブラシ。
【請求項２】
上記グリップ部が、少なくとも把持する親指と人差し指の指先とこれらの指の付け根との間隔よりもやや長軸とされて形成されることを特徴とする請求項１に記載の歯ブラシ。
【請求項３】
上記グリップ部に、把持する少なくとも親指と人差し指の指先部位に対応して座ぐり付きの凹部若しくは貫通孔からなる指先掛合部が形成されることを特徴とする請求項１又は請求項２のいずれか１項に記載の歯ブラシ。
【請求項４】
上記グリップ部に、貫通孔を形成するとともに、この貫通孔に着色弾性材により形成した識別体が嵌め合わされることを特徴とする請求項１乃至請求項３のいずれか１項に記載の歯ブラシ。
【請求項５】
上記識別体が、上記グリップ部の上記貫通孔に嵌め合わされた状態で、その表面が上記座ぐりの底部と略同一面を構成して嵌め合わされることを特徴とする請求項４に記載の歯ブラシ。
【考案の詳細な説明】
【技術分野】
【０００１】
本考案は、歯ブラシに関する。
【背景技術】
【０００２】
歯ブラシは、歯垢をしっかりと落とすとともに歯茎を適度にマッサージすることにより虫歯や歯周病を予防する極めて重要な用具である。歯ブラシは、使用者に把持されるグリップ部と、このグリップ部の一端部にネック部を介して一体に連設され主面に毛束を植設してブラシ面として構成したヘッド部とを基本構成として形成される。歯ブラシは、基本構成に基づく様々なデザインとともにブラシ面や毛束の歯や歯茎に対する当たり角度や具合、毛束の形状や硬さ等に関する様々な理論、或いは使用者の好み等に基づいて、多種多様の構造を有するものが提供されている。
【０００３】
歯磨き方法では、上述した歯ブラシの形状とともにその使用方法も極めて重要であり、例えば持ち方として手の平で握るように把持するパームグリップ法が一般的であり、またブラシ面を手前に向ける方法と向こう側に向ける方法がある。パームグリップ法は、主として毛束の両脇部位を歯や歯茎に当てて歯磨きを行う方法であり、握る力が弱い老人や幼児等にとってしっかりとブラッシングを行うことが可能であり、持ちやすいこと、ブラシ面の全体で広範囲にブラッシングが可能であること等の特徴がある。しかしながら、パームグリップ法は、歯や歯茎に対して必要以上のブラシ圧がかかることにより、歯茎等を痛めやすいといった問題が指摘されている。なお、例えば、特許文献１や特許文献２には、使用勝手の向上を図ったパームグリップ型歯ブラシが開示されている。
【０００４】
歯磨き方法では、上述したパームグリップ法の欠点を改善する方法としてペングリップ法が推奨されるようになっている。ペングリップ法は、毛束の毛先部位を歯や歯茎に当てて歯磨きを行う方法であり、ブラシ圧をコントロールすることが容易であること、毛先の当たり位置を確認することが可能であること、歯と歯の隙間に毛先が入り込んで効果的なブラッシングが可能であること等の特徴がある。ペングリップ法については、最近では上述したパームグリップ法に変わる効率的かつ効果的な歯磨き方法として推奨されており、歯科医による歯磨き指導や歯ブラシのカタログ等においてその方法や効能等が種々紹介されている。
【０００５】
ところで、歯磨きにおいては、途中でグリップ部に歯磨き粉が混じった唾液等がヘッド部から流れ落ちてグリップ部分が滑りやすくなるといった状態がしばしば発生する。例えば特許文献３や特許文献４には、グリップ部分への唾液等の流れ落ちを防止してグリップ性の向上を図った歯ブラシが開示されている。しかしながら、かかる歯ブラシは、上述したペングリップ法により把持することが極めて困難な構造である。
【０００６】
特許文献５には、グリップ部の途中にリング状の指先掛合部を突設し、この指先掛合部に指を貫通させて把持することでさらにグリップ性の向上を図った歯ブラシが開示されている。しかしながら、かかる歯ブラシは、指先掛合部に破損や汚れが生じやすく、パームグリップ法によりより強く歯や歯茎をブラッシングするものである。
【０００７】
特許文献６には、グリップ部の後端部位に凸部を形成してグリップ部を把持する力を小さくすることにより、ブラシ圧を低減するようにした歯ブラシが開示されている。
【０００８】
【特許文献１】特開２００２−８５１５７号公報
【特許文献２】特開２００３−３４７号公報
【特許文献３】実開昭６１−１９９２３２号公報
【特許文献４】特開２００３−３４７号公報
【特許文献５】実開昭６３−１８７９２８号公報
【特許文献６】実開平４−１１８０２８号公報
【考案の開示】
【考案が解決しようとする課題】
【０００９】
歯磨き方法においては、上述した歯ブラシの選択や歯ブラシの持ち方ばかりでなく、歯ブラシの動かし方も重要である。歯磨き方法においては、歯ブラシが、従前では歯列に対して直交する方向（左右方向）に往復移動させると各歯の損耗が大きくなることから、各歯に対して上下方向に移動させるローリング法が推奨されていた。しかしながら、歯磨き方法については、最近ではこの上下方向移動から、例えばバス法或いはスクラッピング法と称される各歯毎に細かな振動を与えるように左右方向に頻繁に動かす方法が推奨されている。
【００１０】
バス法は、毛先を歯茎に対して約４５°の角度で当て、左右に小さく動かす歯磨き方法である。スクラッピング法は、毛先を歯茎に対して略直角に当て、同様にして左右に小さく動かす歯磨き方法である。
【００１１】
ところで、歯ブラシは、一般にグリップ部と、このグリップ部の一端部にネック部を介して一体に連設されて主面に毛束を植設したヘッド部とから構成される。従来の歯ブラシは、断面矩形に形成されたグリップ部の長辺面とヘッド部の主面が略同一面を構成するように形成されており、ペングリップで把持する場合にグリップ部の幅広の相対する短辺面を親指と人差し指が挟み込むようにして把持することになる。
【００１２】
従来の歯ブラシにおいては、上述した形状により幅狭部位を挟むようにするペングリップ法ではグリップ部を把持し難く、握りやすいパームグリップ法と比較して普及率が低い原因となっている。また、従来の歯ブラシにおいては、親指と人差し指で把持するグリップ部に歯磨き途中で歯磨き粉が混じった唾液等がヘッド部から流れ落ちてくることから、滑りやすくなり確実なグリップが保持されないために歯磨き効率が低下するといった問題もある。歯ブラシにおいては、上述した構造によりペングリップ法で把持された場合に、この滑りに伴う問題がさらに顕著となる。
【００１３】
従来の歯ブラシにおいては、ヘッド面の主面から毛束が突出した構造となっており、例えば携帯時や輸送時或いは保管時等において外部からの何らかの力が毛束に直接作用されて曲がり癖がついたり折れ曲がりが生じることがあった。したがって、従来の歯ブラシにおいては、硬質のケース等に収納して毛束を保護するようにしているが、コストアップとなるとともに嵩張るといった問題があった。なお、特許文献６に開示された歯ブラシは、グリップ部の後端部にブラシ面側に突出する凸部が形成されており、この凸部がある程度毛束の保護作用を奏することが期待される。しかしながら、この歯ブラシは、凸部の高さが毛束の先端よりも低いことから、毛先の保護には充分では無い。
【００１４】
また、歯ブラシは、個人毎に用いられるものであり色別で識別することができるように同一仕様でも常に３〜５色程度の色調のものが提供されている。しかしながら、歯ブラシは、一般的に好まれる色調のものに偏って購入されるために、仕入れ・在庫管理が面倒であった。さらに、歯ブラシは、旅館やホテル等においてアメニティグッズとして顧客に提供されるが、一般に同一色調若しくは男女用の２色であることが多く、複数人で宿泊した場合に誰が使用したものか識別が困難である。歯ブラシは、使用後にコップ等に立てかけられることから、その識別がますます困難であった。
【００１５】
さらに、幼稚園や保育園においては、園児に対して食後の歯磨きの習慣を身につけさせるために多くの幼児が一斉に歯ブラシを使用することが多い。従来の歯ブラシは、パームグリップ対応のものが多く、一般的に長尺である。かかる歯磨き行動では、幼児等が教師の注意にもかかわらずしばしばふざけ合いながら歯磨きをすることにより隣りの幼児の手が当たる等して歯ブラシの先で喉の奥の方まで傷付くといった事故が発生する虞もある。
【００１６】
したがって、本考案は、上述した従来の種々の問題を解決し、自然と効率的かつ効果的な歯磨きが行われるペングリップ法により把持されるようになり、毛束の変形の発生を抑制しかつ安全性の向上を図る歯ブラシを提供することを目的に提案されたものである。
【課題を解決するための手段】
【００１７】
上述した目的を達成する本考案にかかる歯ブラシは、グリップ部と、このグリップ部の一端部にネック部を介して一体に連設され主面に毛束を植設してブラシ面として構成したヘッド部とを備える。歯ブラシは、グリップ部が、ヘッド部のブラシ面と直交する方向を長軸辺とした略矩形断面形状に形成されるとともにネック部と対向する他端部側のブラシ面と平行な短軸辺がブラシ面と略同一面を構成するように形成され、ペングリップにより把持されて用いられる。
【００１８】
以上のように構成した歯ブラシにおいては、ブラシ面に対して高さ方向に幅広で薄厚となるグリップ部を親指と人差し指で挟むとともに中指で支えるペングリップの形態で自然に把持されるようになりかつ把持した状態でブラシ面の確認もスムーズに行われ、効率的かつ効果的であり歯や歯茎に対するブラシ圧のコントロールが容易な歯磨き方法であるペングリップの普及率の向上が図られるようになる。また、歯ブラシにおいては、毛束の先端部であるブラシ面がグリップ部の後端部と略同一面を構成することにより、外部からの力が毛束に直接作用されることによる曲がり癖や折れ曲がりの発生を抑制して例えばソフトケースに収納して携帯や輸送或いは保管の取り扱いを可能とする。
【００１９】
また、本考案にかかる歯ブラシは、グリップ部が、少なくとも把持する親指と人差し指の指先とこれらの指の付け根との間隔よりもやや長軸とされることにより全体が従来の一般的な歯ブラシと比較して短い長さで形成される。歯ブラシにおいては、短い全長により歯や歯茎に対する過剰なブラシ圧をさらに抑制してペングリップにより効率的かつ効果的な歯磨きを行うことが可能であり、また取り扱いの簡便化を図るとともに使用中における万一の事故発生でもダメージが低減されるようになる。
【００２０】
本考案にかかる歯ブラシは、グリップ部に、把持する少なくとも親指と人差し指の指先部位に対応して座ぐり付きの凹部若しくは貫通孔からなる指先掛合部が形成される。歯ブラシにおいては、親指や人差し指の指先部位が、幅広でありかつ指先掛合部に指先を掛け合わせてグリップ部を挟み込んで把持する。したがって、歯ブラシは、歯磨き動作の途中で歯磨き粉が混じった唾液等がヘッド部から流れ落ちてきても確実なグリップが保持されて効率的かつ効果的な歯磨きが行われる。
【００２１】
本考案にかかる歯ブラシは、グリップ部に、貫通孔を形成するとともに、この貫通孔に着色弾性材により形成した識別体が嵌め合わされる。また、本考案にかかる歯ブラシは、識別体が、グリップ部の貫通孔に嵌め合わされた状態でその表面を座ぐりの底部と略同一面を構成して嵌め合わされる。歯ブラシにおいては、適宜の色調の識別体を選択して貫通孔に嵌め合わせることにより自他識別が可能となりまた識別体がアクセントになってアメニティグッツとして好適となる。歯ブラシにおいては、貫通孔に対して弾性材を座ぐりの底部に嵌め合わせることにより指先掛合部の機能が保持されるとともに、さらにグリップ特性の向上が図られるようになる。
【考案の効果】
【００２２】
以上のように構成された本考案にかかる歯ブラシによれば、グリップ部がブラシ面に対して幅広で薄厚となる部位を把持されることでペングリップの形態が自然に採用され、歯や歯茎に対するブラシ面の状態を確認しながらかつ過大なブラシ圧を抑制して効率的かつ効果的な歯磨きを行うことを可能とする。また、歯ブラシによれば、毛束の先端部であるブラシ面とグリップ部の後端部とを略同一面となるように構成したことから、携帯時等においてブラシ面が当たって毛先が開いてしまうといった事態の発生が低減されて正常な状態での歯磨きが行われるようにする。
【考案を実施するための最良の形態】
【００２３】
以下、本考案の実施の形態として図面に示した歯ブラシについて詳細に説明する。第１の実施の形態として図１乃至図３に示した歯ブラシ１も、合成樹脂材により、グリップ部２と、このグリップ部２の一端部にネック部３を介して一体に連設されたヘッド部４と、このヘッド部４の一方主面４Ａに植設され先端部をブラシ面５Ａとする毛束５とからなる基本的な構成を上述した従来のパームグリップ仕様の一般的な歯ブラシと同様とする。なお、以下の説明において、図１を基準として「上下」、「左右」等の用語を用いる。
【００２４】
歯ブラシ１も、ヘッド部４が矩形板状を基本形として、例えば大人用と子供用或いは男性用と女性用等の区分条件により様々な大きさに形成される。歯ブラシ１は、標準的な大きさのヘッド部４の主面４Ａに、毛束５を長さ方向に平行して３〜４列、幅方向に平行して８列程度を植設する。歯ブラシ１は、毛束５に、所定の外径と長さを有する例えばナイロン繊維やポリプチレン繊維或いは豚毛等の天然繊維が用いられ、「硬め」、「普通」、「柔らかめ」等の硬さ区分でヘッド部４に設けられる。なお、本考案は、ヘッド部４や毛束５の詳細構成を要旨とするものでは無く、従来の歯ブラシと同等のものを利用することが可能である。
【００２５】
歯ブラシ１は、ネック部３が、ヘッド部４よりもやや幅狭とされた矩形断面を有することにより厚み方向に対してやや弾性変形自在な特性を有する。
【００２６】
歯ブラシ１は、グリップ部２が、従来の歯ブラシと同様に例えば大人用と子供用或いは男性用と女性用等の区分条件によりそれぞれ所定の長さを有して形成される。歯ブラシ１は、グリップ部２が、図１及び図３に示すようにブラシ面５Ａと直交する方向を長軸辺とした略矩形断面形状に形成される。すなわち、グリップ部２は、短辺をネック部３とほぼ同幅としたやや薄厚とするとともに長辺を標準的な大人の指先幅とほぼ同等以上の高さとした図３に示すように縦長矩形の断面形状に形成される。
【００２７】
歯ブラシ１は、グリップ部２が、図１に示すようにネック部３を起点として右下り形状で形成され、全体として側面形状が略へ字状を呈している。歯ブラシ１は、グリップ部２の先端部２Ａが、同図に示すようにブラシ面５Ａに対して下方に位置するようにして形成される。
【００２８】
以上のように構成された歯ブラシ１は、グリップ部２をペングリップにより把持されて用いられる。勿論、歯ブラシ１は、グリップ部２をパームグリップにより把持して用いることも可能であるが、上述した形状によりごく自然かつ安定してペングリップにより把持される。すなわち、ペングリップは、歯ブラシ１のグリップ部２に対して、図２に示すように厚み方向の第１主面２Ｂ側に親指Ｆ１を当てがうとともに相対する第２面２Ｃ側に人差し指Ｆ２を当てがって親指Ｆ１と人差し指Ｆ２とにより摘まむようにする。ペングリップは、同図に示すようにグリップ部２の先端部２Ａを親指Ｆ１と人差し指Ｆ２の付け根部位Ｔから手の甲へと導くようにするとともに、中指Ｆ３により下側面を支える。なお、ペングリップは、薬指Ｆ４や小指Ｆ５が歯ブラシ１の把持に使用されない。
【００２９】
歯ブラシ１においては、上述したようにグリップ部２が縦長矩形の断面形状を有することにより、ブラシ面５Ａに対して高さ方向に幅広で薄厚となるグリップ部２を親指Ｆ１と人差し指Ｆ２で摘みかつ中指Ｆ３で支えるペングリップを自然形態として把持される。歯ブラシ１においては、図２に示すようにグリップ部２をペングリップで把持した状態でブラシ面５Ａの状態も明確に確認することが可能であり、歯や歯茎に対して正確に位置合わせが行われるようになる。歯ブラシ１においては、グリップ部２をペングリップで把持することにより、歯や歯茎に対するブラシ圧の微妙なコントロールも可能となり、効率的かつ効果的な歯磨きが行われるようにする。
【００３０】
歯ブラシ１は、上述したようにグリップ部２の先端部２Ａをブラシ面５Ａから突出させて略へ字状の全体構造を呈する。歯ブラシ１は、例えばブラシ面５Ａを上向きにして置いた場合に、ブラシ面５Ａに対してグリップ部２の先端部２Ａが上方に位置する。歯ブラシ１は、携帯時や輸送時或いは保管時等においてグリップ部２の先端部２Ａがストッパ作用を奏してブラシ面５Ａに外部圧力が作用されないようにして毛束５の拡がりや折れ曲がりの発生を防止する。歯ブラシ１は、毛束５を保護するハードケース等を不要とし、また大量の取り扱いも簡便化される。したがって、歯ブラシ１は、例えばホテル等においてアメニティグッツとして大量に使用される場合でも、その保管や各部屋への配布等の取り扱いも容易となる。
【００３１】
歯ブラシ１は、上述したようにグリップ部２が従来のパームグリップ仕様の一般的な歯ブラシと同等の長さで形成される。歯ブラシ１は、グリップ部２がペングリップで把持されることから、大きな長さを不要とする。第２の実施の形態として図４に示した歯ブラシ１０は、グリップ部１１が、短軸化されるとともにブラシ圧をさらに低減する構成に特徴を有している。歯ブラシ１０は、グリップ部１１を除くネック部３や毛束５を植設したヘッド部４が歯ブラシ１と同等に形成される。
【００３２】
歯ブラシ１０は、グリップ部１１が、上述したグリップ部２と同様にネック部３を起点として右下り形状で形成され全体として側面形状が略へ字状を呈して形成される。歯ブラシ１０も、ブラシ面５Ａに対して高さ方向に幅広で薄厚となるグリップ部１１を親指Ｆ１と人差し指Ｆ２で摘まれかつ中指Ｆ３で下側面を支えるペングリップで把持される。
【００３３】
歯ブラシ１０は、グリップ部１１が、先端部１１Ａの近傍において下側面に円弧状の凹部１２を形成し、この凹部１２の前方部位に凸部１３が構成されるようにする。歯ブラシ１０は、グリップ部１１の凸部１３がブラシ面５Ａから突出するようにして、上述した歯ブラシ１と同様に携帯時や輸送時或いは保管時等においてブラシ面５Ａを保護する部位として作用する。
【００３４】
歯ブラシ１０は、グリップ部１１が、その全長Ｌを把持する親指Ｆ１と人差し指Ｆ２のそれぞれの指先とその付け根Ｔとの間隔Ｄよりもやや長軸とされ、上述した歯ブラシ１と比較して全体が短い長さで形成される。歯ブラシ１０は、図４に示すようにペングリップで把持された状態で凹部１２が付け根Ｔに収まり、先端部１１Ａが付け根Ｔを介して手の甲に乗った状態となる。
【００３５】
歯ブラシ１０は、グリップ部１１がペングリップで把持されることにより、手の大きさを大きく異にする大人用と子供（幼児）用に区分されるが、男性用と女性用に区分した長さとする必要は無い。歯ブラシ１０は、男性用と女性用に区分することなく、一般大人用としてグリップ部１１の全長Ｌを例えば４０ｍｍ乃至６０ｍｍ程度に形成したものであってもよい。歯ブラシ１０は、品数の低減によりコスト低減が図られる。
【００３６】
歯ブラシ１０においては、上述したペングリップで把持されることにより、グリップ部１１の親指Ｆ１と人差し指Ｆ２による把持位置を支点として付け根Ｔを介して手の甲に乗ったグリップ部１１の先端部１１Ａが力点を構成、ブラシ面５Ａを作用点として歯磨き動作が行われる。歯ブラシ１０においては、上述した短軸の構造により支点と力点の間隔が小さくなり、作用点であるブラシ面５Ａに生じるブラシ圧が低減される。歯ブラシ１０においては、グリップ部１１に付け根Ｔに収まる円弧状の凹部１２を形成したことにより力点における力が分散されてさらなるブラシ圧の低減が図られるとともに、この凹部１２と凸部１３が付け根Ｔに倣って当たることによりブレの発生が抑制されるようになる。
【００３７】
歯ブラシ１０においては、全体が短軸に形成されるが、ペングリップで把持されることにより効率的かつ効果的な歯磨きが行われるようになる。歯ブラシ１０においては、上述したブラシ面５Ａと凸部１３の構成により毛束５を痛めることなくソフトケースに収納して保管や運搬等が行われ、短軸化によりさらに取扱い性の向上とコスト低減が図られる。また、歯ブラシ１０は、全体が短軸に形成されることにより、幼稚園等における多くの園児による歯磨きや行動或いは飛行中で歯磨きや行動等のように咥内への突込みが生じる虞がある場合でも、喉の奥の方までダメージが及ばないようにする。
【００３８】
第３の実施の形態として図５及び図６に示した歯ブラシ１５は、グリップ部１６が、短軸化されてブラシ圧を低減化するようにした構成について上述した歯ブラシ１０と同様とし、さらに歯磨き時において把持特性の向上を図った構成に特徴を有している。歯ブラシ１５も、グリップ部１６を除くネック部３や毛束５を植設したヘッド部４が歯ブラシ１や歯ブラシ１０と同等に形成される。
【００３９】
なお、歯ブラシ１５は、ネック部３をやや長軸に形成することにより大きな弾性変形が生じるようにして歯や歯茎に対して押し当て状態が保持されるように構成する。歯ブラシ１５は、全長を上述した歯ブラシ１０と同等してネック部３をやや長軸とすることから、グリップ部１６の長さが小さくなって把持特性が低下する。歯ブラシ１５は、グリップ部１６が、図５に示すように略変形菱形の形状とすることにより把持面積が保持されるように構成する。歯ブラシ１５も、グリップ部１６の先端部１６Ａ側において凹部１２と凸部１３が形成され、凸部１３がブラシ面５Ａよりも下方へと突出した構造である。
【００４０】
歯ブラシ１５は、上述したようにグリップ部１６が親指Ｆ１と人差し指Ｆ２により厚み方向に摘まれるようにして、パームグリップと比較して把持力が小さいペングリップにより把持される。歯ブラシ１５においては、歯磨き動作の途中で歯磨き粉が混じった唾液等がヘッド部４からネック部３を介してグリップ部１６へと流れ落ちてくるため、親指Ｆ１と人差し指Ｆ２の指先部位が滑りやすくなる。歯ブラシ１５においては、グリップ部１６のネック部３側に位置して、厚み方向の貫通孔からなる指先掛合部１７を形成することにより、把持特性の向上が図られる。
【００４１】
歯ブラシ１５には、グリップ部１６をペングリップで把持した状態で、図５に示すように親指Ｆ１と人差し指Ｆ２の指先の対応部位に、貫通孔からなる指先掛合部１７が形成される。指先掛合部１７は、小さな外径の人差し指Ｆ２の指先よりもやや小さく所定の機械的強度が保持される内径を有する貫通孔により構成される。指先掛合部１７には、図６に示すようにグリップ部１６の貫通孔が開口する第１主面１６Ｂと第２主面１６Ｃにそれぞれ座ぐり１８Ａ、１８Ｂが形成される。指先掛合部１７は、これら座ぐり１８Ａ、１８Ｂを形成することにより、親指Ｆ１や人差し指Ｆ２の指先のバラツキに対応可能であるとともに、指先に引掛かりを与えて把持状態が確実に保持されるようにする。
【００４２】
以上のように構成された歯ブラシ１５においては、親指Ｆ１と人差し指Ｆ２の指先が第１主面１６Ｂと第２主面１６Ｃからそれぞれ指先掛合部１７にはまり込んでグリップ部１６を把持する。歯ブラシ１５においては、歯磨き動作の途中で歯磨き粉が混じった唾液等がグリップ部１６に流れ落ちてきても、指先が指先掛合部１７にはまり込んだ親指Ｆ１と人差し指Ｆ２により把持状態が確実に保持される。歯ブラシ１５においては、滑りによるブレが抑制されて効率的かつ効果的な歯磨きが行われる。
【００４３】
なお、歯ブラシ１５においては、親指Ｆ１と人差し指Ｆ２との対応部位に貫通孔からなる指先掛合部１７を形成したが、かかる指先掛合部１７の構成に限定されない。指先掛合部１７については、手の大きさのバラツキに対応するためにグリップ部１６に複数個を形成するようにしてもよい。指先掛合部１７については、グリップ部１６の第１主面１６Ｂと第２主面１６Ｃにそれぞれ形成した断面円弧状の凹部であってもよく、また親指Ｆ１と人差し指Ｆ２の指先位置のズレに対応してこれら凹部が位置を異にして形成されるようにしてもよい。また、指先掛合部１７は、円形に限定されず、軸方向の長孔或いは楕円凹部であってもよい。
【００４４】
第４の実施の形態として図７に示した歯ブラシ２０も、グリップ部２１を短軸化してブラシ圧を低減化するとともに歯磨き時において把持特性の向上を図った構成を上述した歯ブラシ１５と同様とし、さらに複数人が同じ場所で使用する場合において有効な自他識別性を有する構成に特徴を有している。歯ブラシ１５も、グリップ部２１を除くネック部３や毛束５を植設したヘッド部４が歯ブラシ１や歯ブラシ１０と同等に形成される。歯ブラシ１５も、グリップ部２１の下側面部に、先端部２１Ａに至る途中箇所にブラシ面５Ａと略同一面を構成する頂点部２１Ｂが形成されるとともに、厚み方向に貫通する座ぐり１８を有する指先掛合部１７が形成される。
【００４５】
歯ブラシ２０は、ネック部３から右下がりの状態で連続するグリップ部２１の下側面が先端部２１Ａと頂点部２１Ｂとの間の領域を円弧状として逃がし側面２２として構成される。歯ブラシ２０は、逃がし側面２２が、グリップ部２１をペングリップにより把持した状態で親指Ｆ１と人差し指Ｆ２の付け根部位Ｔに当たって力点を構成するが、上述した円弧状の形状により力点における力を分散する作用を奏することでさらなるブラシ圧の低減が図られるようになる。なお、歯ブラシ２０も、グリップ部２１を全体が小さな外形に形成するが、図７に示すように上側面部２１Ｃを上方へ突出させた形状とすることにより把持面積が保持されるように構成する。
【００４６】
歯ブラシ２０にも、グリップ部２１の先端部近傍に厚み方向に貫通する貫通孔２３が形成され、この貫通孔２３が紐掛け孔等に利用される。歯ブラシ２０は、この貫通孔２３を利用して識別体２４をはめ込むことにより、自他識別が図られるようにする。識別体２４は、適宜の色調で着色されたゴム材等の弾性材により、貫通孔２３の内径よりもやや大きな外径を有する丸栓状に形成され、図９に示すように少なくとも一方側面側に先端径を貫通孔２３の内径よりもやや小径とする面取り２４Ａが施される。
【００４７】
歯ブラシ２０は、複数色の識別体２４が用意され、使用者が好みの色調のものを選択して面取り２４Ａ側を嵌め込み側として貫通孔２３内にはめ込まれる。歯ブラシ２０は、識別体２４の色調により自他識別が行われることで、複数人が同一場所で使用して歯ブラシ立て等に置いた場合でも他人のものと誤って使用されないようにする。歯ブラシ２０は、複数色の識別体２４を用いることにより、全体を異なる色調の樹脂材料で成形せずとも識別が可能であり在庫管理の煩わしさを低減するとともに識別体２４がアクセントになってアメニティグッツとして好適となる。
【００４８】
歯ブラシ２０は、上述した識別体２４を図８に示すように指先掛合部１７に嵌め合わせて用いるようにしてもよい。歯ブラシ２０は、この場合に識別体２４が、指先掛合部１７の内径よりもやや大径とされるとともに、嵌め合わせ状態において両端面が座ぐり１８の底部と略同一面を構成する厚みを有して形成される。歯ブラシ２０は、同図に示すように識別体２４をはめ込んだ指先掛合部１７が座ぐり１８の深さ分グリップ部２１の第１主面２１Ｄと第２主面２１Ｅに対して凹部の形状が保持されるようにして、親指Ｆ１や人差し指Ｆ２の指先に引掛かりを与えて把持状態が確実に保持されるようにする。歯ブラシ２０は、識別体２４を弾性材により形成したことにより、親指Ｆ１や人差し指Ｆ２の指先にフィット感を与え、さらにグリップ特性の向上が図られるようにする。
【００４９】
なお、歯ブラシ２０は、上述したように識別体２４を複数の色調からなる丸栓状に形成するようにしたが、かかる形状に限定されるものでは無い。識別体２４は、例えば貫通孔２３や指先掛合部１７に嵌め合わす栓部と、この栓部の先端部に一体に形成されグリップ部２１の主面に突出するキャラクタや模様形状等からなる表示部とから構成してもよい。歯ブラシ２０は、かかる識別体２４を用いることにより、幼児、子供向け或いはアメニティグッツとしてさらに好適となる。
【００５０】
歯ブラシ２０は、未使用時や保管或いは輸送時等において、例えば図７に示す半透明な塩化ビニール樹脂等で成形したベロ付きソフトケース２５内に収納される。歯ブラシ２０は、上述したようにグリップ部２１がブラシ面５Ａと直交する方向を長軸辺とした断面形状を有することにより、毛束５とグリップ部２１とが同一向きとなるとともにブラシ面５Ａが頂点部２１Ａで保護された状態でソフトケース２５内に収納されることで毛先の変形が防止される。なお、上述した各歯ブラシ１、１０、１５も同様の形態でソフトケース内に収納されて毛先が保護される。
【図面の簡単な説明】
【００５１】
【図１】本考案の第１の実施の形態として示す歯ブラシの側面図である。
【図２】同歯ブラシをペングリップで把持した状態の平面図である。
【図３】同歯ブラシのグリップ部の断面図である。
【図４】本考案の第２の実施の形態として示す歯ブラシをペングリップで把持した状態の側面図である。
【図５】本考案の第３の実施の形態として示す歯ブラシの側面図である。
【図６】同歯ブラシのグリップ部の断面図である。
【図７】本考案の第４の実施の形態として示す歯ブラシの側面図である。
【図８】同歯ブラシの識別体をはめ込んだグリップ部の断面図である。
【図９】識別体の斜視図である。
【符号の説明】
【００５２】
１  歯ブラシ、２  グリップ部、３  ネック部、４  ヘッド部、５  毛束、１０  歯ブラシ、１１  グリップ部、１２  凹部、１３  凸部、１５  歯ブラシ、１６  グリップ部、１７  指先掛合部、１８  座ぐり、２０  歯ブラシ、２１  グリップ部、２２  逃がし側面、２３  貫通孔、２４  識別体、２５  ソフトケース
【図１】
0003133654.tif 000003
【図２】
0003133654.tif 000004
【図３】
0003133654.tif 000005
【図４】
0003133654.tif 000006
【図５】
0003133654.tif 000007
【図６】
0003133654.tif 000008
【図７】
0003133654.tif 000009
【図８】
0003133654.tif 000010
【図９】
0003133654.tif 000011